(57)【要約】【課題】被測定体の同一部位についての体組成の経時的な変化を適切に測定することのできる体組成測定装置を提供する。【解決手段】この体組成測定装置１０は、体組成を測定する測定部６０を備え、測定部６０が体表面上を移動するときに所定の軌道に沿うように案内する案内手段としての加速度センサ７２を備える。【選択図】図１
2011067344.tif 000002
【特許請求の範囲】
【請求項１】
体組成を測定する測定部を備える体組成測定装置において、
前記測定部が体表面上を移動するときに所定の軌道に沿うように案内する案内手段を備える
ことを特徴とする体組成測定装置。
【請求項２】
請求項１に記載の体組成測定装置において、
被測定体の内部を伝搬する光量に基づいて体組成としての体脂肪量を算出する算出手段を備える
ことを特徴とする体組成測定装置。
【請求項３】
請求項１または２に記載の体組成測定装置において、
被測定体のインピーダンスに基づいて体組成としての体脂肪量を算出する算出手段を備える
ことを特徴とする体組成測定装置。
【請求項４】
請求項１〜３のいずれか一項に記載の体組成測定装置において、
測定開始位置を予め定められた位置に設定するための位置設定手段を備える
ことを特徴とする体組成測定装置。
【請求項５】
請求項４に記載の体組成測定装置において、
前記位置設定手段として気圧センサを備える
ことを特徴とする体組成測定装置。
【請求項６】
請求項４に記載の体組成測定装置において、
前記位置設定手段として被測定体の特徴的な部位を基準として測定開始位置を決めるための位置決め機構を備える
ことを特徴とする体組成測定装置。
【請求項７】
請求項１〜６のいずれか一項に記載の体組成測定装置において、
過去の測定位置と今回の測定位置とのずれを報知する測定位置報知手段を備える
ことを特徴とする体組成測定装置。
【請求項８】
請求項１〜７のいずれか一項に記載の体組成測定装置において、
過去の測定開始位置と今回の測定開始位置とのずれを報知する開始位置報知手段を備える
ことを特徴とする体組成測定装置。
【請求項９】
請求項１〜８のいずれか一項に記載の体組成測定装置において、
前記案内手段は、水平器及び加速度センサ及びジャイロセンサ及び気圧センサの少なくとも１つを含む
ことを特徴とする体組成測定装置。
【請求項１０】
請求項１〜９のいずれか一項に記載の体組成測定装置において、
前記案内手段は、前記測定部を所定の軌道に沿って移動させるためのレールまたはベルトを含む
ことを特徴とする体組成測定装置。
【請求項１１】
請求項１〜１０のいずれか一項に記載の体組成測定装置において、
測定開始位置が予め定められた位置と異なるときにはその旨を報知し、体組成を測定しているときの前記測定部の軌跡が前記所定の軌道と異なるときにはその旨を報知する報知手段を備える
ことを特徴とする体組成測定装置。
【発明の詳細な説明】
【技術分野】
【０００１】
本発明は、体組成を測定する測定部を備える体組成測定装置に関する。
【背景技術】
【０００２】
上記測定装置の一例として、特許文献１では、被測定者の臍位置に基づいて測定位置を合わせることで、測定開始位置が毎回同じものにすることができるようにしている。
【先行技術文献】
【特許文献】
【０００３】
【特許文献１】特開２００２−２８２２４１号公報
【発明の概要】
【発明が解決しようとする課題】
【０００４】
ところで、測定者が測定部を測定部位の表面に沿って移動させることにより、被測定体の広範囲にわたる体組成を測定することができるようになる。また、毎回の測定において測定部を同一の軌道上にて移動させることにより、広範囲にわたる測定部位の体組成についてその経時的な変化を把握することが可能となる。しかし、測定部の軌跡を毎回同じものにすることは難しい。なお、特許文献１の測定装置によれば、測定開始位置を毎回同じに設定することはできるものの、測定部の軌跡を測定毎に同じものにすることは容易ではない。
【０００５】
本発明はこのような実情に鑑みてなされたものであり、その目的は、被測定体の同一部位についての体組成の経時的な変化を適切に測定することのできる体組成測定装置を提供することにある。
【課題を解決するための手段】
【０００６】
以下、上記目的を達成するための手段及びその作用効果について記載する。
（１）請求項１に記載の発明は、体組成を測定する測定部を備える体組成測定装置において、前記測定部が体表面上を移動するときに所定の軌道に沿うように案内する案内手段を備えることを要旨としている。
【０００７】
この発明では、測定部が体表面上を移動するときに所定の軌道に沿うように案内する案内手段を備えているため、体組成の測定毎に測定部の軌跡が大きく異なることは抑制される。従って、被測定体の同一部位についての体組成の経時的な変化を適切に測定することができるようになる。
【０００８】
（２）請求項２に記載の発明は、請求項１に記載の体組成測定装置において、被測定体の内部を伝搬する光量に基づいて体組成としての体脂肪量を算出する算出手段を備えることを要旨としている。
【０００９】
この発明では、被測定体の内部を伝搬する光量に基づいて体組成としての体脂肪量を算出する算出手段を備えるため、体脂肪量として体脂肪厚、特に皮下脂肪厚を算出することができるようになる。
【００１０】
（３）請求項３に記載の発明は、請求項１または２に記載の体組成測定装置において、被測定体のインピーダンスに基づいて体組成としての体脂肪量を算出する算出手段を備えることを要旨としている。
【００１１】
この発明では、被測定体のインピーダンスに基づいて体組成としての体脂肪量を算出する算出手段を備えるため、インピーダンスによって体脂肪量を測定することができるようになる。
【００１２】
（４）請求項４に記載の発明は、請求項１〜３のいずれか一項に記載の体組成測定装置において、測定開始位置を予め定められた位置に設定するための位置設定手段を備えることを要旨としている。
【００１３】
この発明では、測定開始位置を予め定められた位置に設定するための位置設定手段を備えているため、体組成の測定毎に測定開始位置が大きく異なることは抑制される。従って、被測定体の同一部位についての体組成の経時的な変化をより適切に測定することができるようになる。
【００１４】
（５）請求項５に記載の発明は、請求項４に記載の体組成測定装置において、前記位置設定手段として気圧センサを備えることを要旨としている。
この発明では、位置設定手段として気圧センサを備えているため、その測定結果に基づいて測定開始位置が予め定められた位置からずれているか否かを確認することができる。従って、体組成の測定毎に測定開始位置が大きく異なることをより的確に抑制することができる。
【００１５】
（６）請求項６に記載の発明は、請求項４に記載の体組成測定装置において、前記位置設定手段として被測定体の特徴的な部位を基準として測定開始位置を決めるための位置決め機構を備えることを要旨としている。
【００１６】
この発明では、位置設定手段として被測定体の特徴的な部位を基準として測定開始位置を決めるための位置決め機構を備えているため、体組成の測定毎に測定開始位置が大きく異なることをより的確に抑制することができる。
【００１７】
（７）請求項７に記載の発明は、請求項１〜６のいずれか一項に記載の体組成測定装置において、過去の測定位置と今回の測定位置とのずれを報知する測定位置報知手段を備えることを要旨としている。
【００１８】
この発明では、過去の測定位置と今回の測定位置とのずれを報知する測定位置報知手段を備えているため、体組成の測定毎に測定位置が大きく異なることは抑制される。従って、被測定体の同一部位についての体組成の経時的な変化をより適切に測定することができるようになる。
【００１９】
（８）請求項８に記載の発明は、請求項１〜７のいずれか一項に記載の体組成測定装置において、過去の測定開始位置と今回の測定開始位置とのずれを報知する開始位置報知手段を備えることを要旨としている。
【００２０】
この発明では、過去の測定開始位置と今回の測定開始位置とのずれを報知する開始位置報知手段を備えているため、体組成の測定毎に測定位置が大きく異なることは抑制される。従って、被測定体の同一部位についての体組成の経時的な変化をより適切に測定することができるようになる。
【００２１】
（９）請求項９に記載の発明は、請求項１〜８のいずれか一項に記載の体組成測定装置において、前記案内手段は、水平器及び加速度センサ及びジャイロセンサ及び気圧センサの少なくとも１つを含むことを要旨としている。
【００２２】
この発明では、案内手段が水平器及び加速センサ及びジャイロセンサ及び気圧センサの少なくとも１つを含んでいるため、その測定結果に基づいて測定部の軌跡が所定の軌道からずれているか否かを確認することができる。従って、体組成の測定毎に測定部の軌跡が大きく異なることをより的確に抑制することができる。
【００２３】
（１０）請求項１０に記載の発明は、請求項１〜９のいずれか一項に記載の体組成測定装置において、前記案内手段は、前記測定部を所定の軌道に沿って移動させるためのレールまたはベルトを含むことを要旨としている。
【００２４】
この発明では、案内手段として測定部を所定の軌道に沿って移動させるためのレールまたはベルトを備えているため、ユーザが水平器等を確認しながら測定部を軌道に沿わせて移動する場合と比較して、ユーザの移動のための負担を低減することができる。
【００２５】
（１１）請求項１１に記載の発明は、請求項１〜１０のいずれか一項に記載の体組成測定装置において、測定開始位置が予め定められた位置と異なるときにはその旨を報知し、体組成を測定しているときの前記測定部の軌跡が前記所定の軌道と異なるときにはその旨を報知する報知手段を備えることを要旨としている。
【００２６】
この発明では、体測定開始位置が予め定められた位置と異なるときにはその旨を報知し、体組成を測定しているときの前記測定部の軌跡が前記所定の軌道と異なるときにはその旨を報知する報知手段を備えるため、ユーザは同手段の出力に基づいて測定開始位置または測定部の操作を修正することができる。
【発明の効果】
【００２７】
本発明によれば、被測定体の同一部位についての体組成の経時的な変化を適切に測定することのできる体組成測定装置を提供することができるようになる。
【図面の簡単な説明】
【００２８】
【図１】本発明の体組成測定装置を具体化した第１実施形態について、体組成測定装置の平面構造を示す平面図。
【図２】同実施形態の体組成測定装置を模式的に示す模式図。
【図３】同実施形態の体組成測定装置と被測定体との関係を模式的に示した模式図。
【図４】同実施形態の体組成測定装置と被測定体との関係を模式的に示した模式図。
【図５】本発明の体組成測定装置を具体化した第２実施形態について、体組成測定装置と被測定体との関係を模式的に示した模式図。
【図６】本発明の体組成測定装置を具体化した第３実施形態について、体組成測定装置の平面構造を示す平面図。
【図７】同実施形態の体組成測定装置と被測定体との関係を模式的に示した模式図。
【図８】本発明の体組成測定装置を具体化した第４実施形態について、体組成測定装置の正面構造を示す正面図。
【図９】本発明の体組成測定装置を具体化した第５実施形態について、体組成測定装置の正面構造を示す正面図。
【図１０】本発明の体組成測定装置を具体化した第７実施形態について、体組成測定装置の正面構造を示す正面図。
【発明を実施するための形態】
【００２９】
（第１実施形態）
図１〜図４を参照して、本発明を具体化した第１実施形態について説明する。
図１に示されるように、体組成測定装置１０には、その本体をなす装置本体２０と、体表面に対して光を照射するとともに被測定体内を伝搬した光を受ける測定部６０と、装置本体２０に対する制御指令の送信、及び測定部６０の測定結果に基づく皮下脂肪量の演算を行う制御部７０とが設けられている。またこの他に、ユーザによる操作を通じて皮下脂肪量の測定を実行または停止するための操作部３０と、制御部７０による演算結果としての皮下脂肪量を表示する表示部４０と、制御部７０からの信号に基づいて音を出力する報知部５０と、気圧を測定する気圧センサ７１と、水平に対する当該測定装置１０の傾きを測定する加速度センサ７２とが設けられている。
【００３０】
測定部６０には、被測定体に光を照射する発光素子６１と、被測定体内を伝搬した光を受ける第１受光素子６２及び第２受光素子６３とが設けられている。測定部６０の測定結果である各素子の受光量に相当する信号は制御部７０に送信される。
【００３１】
制御部７０は、測定を行うときには光を照射する旨の信号を発光素子６１に対して送信し、測定を終了するときには発光素子６１に対する信号の送信を停止する。また、皮下脂肪量を算出するために予め格納された関数と、第１受光素子６２及び第２受光素子６３のそれぞれから送信されたデータとに基づいて、被測定体の皮下脂肪量を算出する。算出された皮下脂肪量のデータは、表示部４０に送信される。
【００３２】
表示部４０は、制御部７０から送信される信号に基づいて、皮下脂肪量をはじめとする各種の情報を表示する。体組成測定装置１０のユーザは、同表示部４０に表示される情報を通じて皮下脂肪量の測定結果等を把握することができる。
【００３３】
図２を参照して、体組成測定装置１０の具体的な構造について説明する。
同図に示されるように、装置本体２０の上面には把手２１が設けられている。装置本体２０の側面には、操作部３０及び表示部４０及び報知部５０がそれぞれ設けられている。表示部４０としては、液晶画面を有するとともに、この画面に皮下脂肪厚の測定結果を数値及び被測定部の断面を図で表示するものが設けられている。
【００３４】
発光素子６１及び第１受光素子６２及び第２受光素子６３は、装置本体２０の底面上において一列に配置されている。発光素子６１と第１受光素子６２との距離は、皮膚色素及び吸光特性及び散乱特性の違いによる影響を補正するために短く設定されている。発光素子６１と第２受光素子６３との距離は、発光素子６１と第１受光素子６２との距離よりも長く設定される。
【００３５】
操作部３０には、当該測定装置１０の電源をオン及びオフするための電源ボタン３１と、測定開始位置を制御部７０に記憶するための開始位置記憶ボタン３２と、測定部６０による光の照射をオン及びオフするための測定ボタン３３と、ユーザの認識として測定部６０が所定の測定開始位置にあることを制御部７０に報知するための開始位置確認ボタン３４とが設けられている。
【００３６】
図３を参照して、制御部７０による測定開始位置の確認方法について説明する。
被測定体１００の同一部位についてその皮下脂肪量の経時的な変化を測定するためには、被測定体１００上においての測定部６０の測定開始位置を皮下脂肪の測定毎に同じところに設定することがユーザに求められる。ユーザによる視認を通じて測定開始位置を測定毎に同じところに設定することも一応はできるものの正確性に欠ける。
【００３７】
そこで、体組成測定装置１０の制御部７０では、気圧センサ７１の測定結果に基づいて今回の測定開始位置が前回の測定開始位置と同じものであるか否かを判定し、異なるときにはその旨をユーザに報知するようにしている。以下に、制御部７０による測定開始位置の判定の具体的な手順を示す。
【００３８】
（１）基準位置（ここではユーザが立位する床面）に対する体組成測定装置１０の高さ（以下、「測定位置Ｈ」）を算出する条件が成立したとき、気圧センサ７１の測定結果に基づいて測定位置Ｈを算出する。上記条件としては例えば、ユーザが体組成測定装置１０を被測定体１００の所定位置に接触させた状態で操作部３０の開始位置確認ボタン３４を操作したことが挙げられる。
【００３９】
（２）上記（１）において算出した測定位置Ｈ（以下、「今回測定位置ＨＡ」）と、以前の測定において測定開始位置として記憶した測定位置Ｈ（以下、「前回測定位置ＨＢ」）とを比較し、今回測定位置ＨＡと前回測定位置ＨＢとの差の絶対値（以下、「位置ずれ量△Ｈ」）が判定値よりも大きいか否かを判定する。判定値よりも大きい旨判定したときには、そのときの測定部６０の位置が適切ではない旨を報知するための信号を報知部５０に送信する。これにより、報知部５０からは測定部６０の位置が適切ではない旨を報知する所定の音声が出力される。上記の判定及びその結果に基づく報知部５０からの出力は、位置ずれ量△Ｈが判定値以下となるまで継続して行われる。
【００４０】
（３）上記（２）において、位置ずれ量△Ｈが判定値以下である旨判定したとき、そのときの測定部６０の位置が適切である旨を報知するための信号を報知部５０に送信する。これにより、報知部５０からは測定部６０の位置が適切である旨を報知するための所定の音声が出力される。
【００４１】
次に、制御部７０による測定部６０の軌跡の確認方法について説明する。
被測定体１００の広範囲にわたる部位についてその皮下脂肪量の経時的な変化を正確に把握するためには、体表面上における測定部６０の軌跡を体脂肪の測定毎に同じものにすることがユーザに求められる。しかし、ユーザによる視認を通じて測定部６０の軌跡を測定毎に同じものにすることはユーザに対する操作上の負担が大きい。
【００４２】
そこで、体組成測定装置１０の制御部７０では、加速度センサ７２の測定結果に基づいて測定部６０の今回の軌跡が予め定められた所定の軌道と同じか否かを判定し、異なるときにはその旨をユーザに報知するようにしている。ここでは、体表面上において水平に沿う軌道を上記所定の軌道としている。以下に、制御部７０による軌跡の判定の具体的な手順を示す。
【００４３】
（１）測定部６０が体表面上を移動しているとき、加速度センサ７２の測定結果に基づいて、水平に対する測定部６０の傾き角度（以下、「測定角度Ａ」）を算出する。そしてこの算出した測定角度Ａが判定値よりも大きいか否かを判定する。判定値よりも大きい旨判定したときには、測定部６０の軌跡が所定の軌道がずれている旨、すなわち測定部６０の軌跡が水平方向からずれている旨を報知するための信号を報知部５０に送信する。これにより、報知部５０からは測定部６０の軌跡が水平方向からずれている旨を報知するための所定の音声が出力される。上記の判定及びその結果に基づく報知部５０からの出力は、測定角度Ａが判定値以下の角度となるまで継続して行われる。
【００４４】
（２）上記（１）において、測定角度Ａが判定値以下である旨判定したとき、測定部６０の軌跡が所定の軌道に沿っている旨を報知するための信号を報知部５０に送信する。これにより、報知部５０からは所定の音声が出力される。
【００４５】
図３及び図４を参照して、体脂肪量の具体的な測定態様の一例について説明する。
体脂肪量の測定はユーザを通じて次の手順により行われる。
（手順Ａ）：例えば立位の状態で測定装置１０を一方の手に持つ。
（手順Ｂ）：電源ボタン３１を押して電源をオンにする。
（手順Ｃ）：所定の測定開始位置（ここでは臍１０２）に装置本体２０の端面を接触させる。
（手順Ｄ）：初回の測定のときには開始位置記憶ボタン３２を押し、次に（手順Ｇ）に進む。なお、前回測定位置ＨＢの初期値は「０」に設定されている。
（手順Ｅ）：２回目以降の測定のときには開始位置確認ボタン３４を押す。
（手順Ｆ）：報知部５０により測定部６０の位置が前回測定位置からずれている旨報知されたときには、所定の測定開始位置に測定装置１０を移動させた後に再び（手順Ｅ）を行う。測定部６０の位置がずれている旨の報知がなされない状態で次の（手順Ｇ）を行う。
（手順Ｇ）：測定ボタン３３を押して発光素子６１及び受光素子６２，６３による測定を開始する。
（手順Ｈ）：測定装置１０を体表面に沿って移動させる。
（手順Ｉ）：測定装置１０の移動中において報知部５０により測定部６０の軌跡が所定の軌道からずれている旨報知されたときには、同報知がなされなくなるように測定部６０を操作する。
（手順Ｊ）：必要であれば測定装置１０を持ち替え、測定終了位置としての測定開始位置まで測定部６０を移動させる。
（手順Ｋ）：測定ボタン３３を押して発光素子６１及び受光素子６２，６３による測定を終了する。
（手順Ｌ）：表示部４０の表示を確認し、電源ボタン３１を押して電源をオフにする。
【００４６】
以上詳述したように、本実施形態によれば以下に示す効果が得られるようになる。
（１）本実施形態では、測定部６０が体表面上を移動するときに所定の軌道に沿うように案内する加速度センサ７２を備えているため、体組成の測定毎に測定部６０の軌跡が大きく異なることは抑制される。従って、被測定体１００の同一部位についての体組成の経時的な変化を適切に測定することができるようになる。
【００４７】
（２）本実施形態では、被測定体１００の内部を伝搬する光量に基づいて体組成としての体脂肪量を算出する算出手段を備えるようにしているため、体脂肪量として体脂肪厚、特に皮下脂肪厚を算出することができるようになる。
【００４８】
（３）本実施形態では、測定開始位置を予め定められた位置に設定するための気圧センサ７１を備えているため、体組成の測定毎に測定開始位置が大きく異なることは抑制される。従って、被測定体１００の同一部位についての体組成の経時的な変化をより適切に測定することができるようになる。
【００４９】
（４）本実施形態では、位置設定手段として気圧センサ７１を備えているため、その測定結果に基づいて測定開始位置が前回測定位置ＨＢからずれているか否かを確認することができる。従って、体組成の測定毎に測定位置Ｈが大きく異なることをより的確に抑制することができる。
【００５０】
（５）本実施形態では、過去の測定位置ＨＢと今回の測定位置ＨＡとのずれを報知する報知部５０を備えているため、体組成の測定毎に測定位置が大きく異なることは抑制される。従って、被測定体１００の同一部位についての体組成の経時的な変化をより適切に測定することができるようになる。
【００５１】
（６）本実施形態では、測定部６０が体表面上を移動するときに所定の軌道に沿うように案内する加速度センサ７２を備えているため、その測定結果に基づいて測定部６０の軌跡が所定の軌道からずれているか否かを確認することができる。従って、体組成の測定毎に測定部の軌跡が大きく異なることをより的確に抑制することができる。
【００５２】
（７）本実施形態では、測定位置ＨＡが予め定められた測定位置ＨＢと異なるときにはその旨を報知し、体組成を測定しているときの測定部６０の軌跡が所定の軌道と異なるときにはその旨を報知する報知部５０を備えるため、ユーザは報知部５０の出力に基づいて測定位置Ｈまたは測定部６０の操作を修正することができる。
【００５３】
（８）本実施形態では、被測定体１００の特徴的な部位である臍１０２を基準として測定位置Ｈを決めるとき、装置本体２０の端面を臍１０２と当てるようにしているため、体組成の測定毎に測定位置Ｈが大きく異なることをより的確に抑制することができる。
【００５４】
（第２実施形態）
図５を参照して、本発明を具体化した第２実施形態について説明する。なお、本実施形態は第１実施形態の測定軌道の案内手段としての報知部５０から出力される所定の音声をベルトに変更したものであり、第１実施形態と共通する部分については説明を省略する。
【００５５】
体組成測定装置１０は、装置本体２０とベルト８０とにより構成されている。ベルト８０は、輪を形成するベルト基部８１と、ベルト基部８１に周方向に連続して形成される穴８３とから構成されている。穴によってベルト基部８１は２つに分割されるため、赤外線を透過する接続部８２がこれを接続している。
【００５６】
また、装置本体２０の端面にはベルト基部８１に接続するとともにベルト上を周方向に移動可能にする取付部２３が設けられている。
体脂肪量の測定はユーザを通じて次の手順により行われる。
（手順Ａ）：例えば立位の状態で測定装置１０を取り付けたベルト８０を装着するとともに測定装置１０を一方の手に持つ。
（手順Ｂ）：所定の測定開始位置（ここでは臍）に装置本体２０の端面を接触させる。
（手順Ｂ）：電源ボタン３１を押して電源をオンにする。
（手順Ｃ）：所定の測定開始位置（ここでは臍１０２）に装置本体２０の端面を接触させる。
（手順Ｄ）：初回の測定のときには開始位置記憶ボタン３２を押し、次に（手順Ｇ）に進む。なお、前回測定位置ＨＢの初期値は「０」に設定されている。
（手順Ｅ）：２回目以降の測定のときには開始位置確認ボタン３４を押す。
（手順Ｆ）：報知部５０により測定部６０の位置が前回測定位置からずれている旨報知されたときには、所定の測定開始位置に測定装置１０を移動させた後に再び（手順Ｅ）を行う。測定部６０の位置がずれている旨の報知がなされない状態で次の（手順Ｇ）を行う。
（手順Ｇ）：測定ボタン３３を押して発光素子６１及び受光素子６２，６３による測定を開始する。
（手順Ｈ）：測定装置１０をベルト８０上及び体表面に沿って移動させる。
（手順Ｉ）：必要であれば測定装置１０を持ち替え、測定終了位置としての測定開始位置まで測定部６０を移動させる。
（手順Ｊ）：測定ボタン３３を押して発光素子６１及び受光素子６２，６３による測定を終了する。
（手順Ｋ）：表示部４０の表示を確認し、電源ボタン３１を押して電源をオフにする。
【００５７】
以上詳述したように、本実施形態によれば上記実施形態の（１）〜（８）の効果に加えて以下に示す効果が得られるようになる。
（９）本実施形態では、測定部６０を所定の軌道に沿って移動させるためのベルト８０を備えているため、ユーザが水平器等を確認しながら測定部を軌道に沿わせて移動する場合と比較して、ユーザの移動のための負担を低減することができる。
【００５８】
（第３実施形態）
図６及び図７を参照して、本発明を具体化した第３実施形態について説明する。なお、本実施形態は第１実施形態の測定軌道の案内手段としての報知部５０から出力される所定の音声をガイドレールに変更したものであり、第１実施形態と共通する部分については説明を省略する。
【００５９】
図６に示されるように、測定装置１０は、装置本体２０とガイドレール９０とにより構成されている。装置本体２０の側面にはレール溝２４が形成されており、ガイドレール９０のレール部がこのレール溝２４にはめ込まれて、装置本体２０及び測定部６０がガイドレール９０に沿って移動可能となっている。
【００６０】
図７を参照して、太もも１０３の体脂肪量の測定方法について説明する。
体脂肪量の測定はユーザを通じて次の手順により行われる。
（手順Ａ）：例えば立位の状態で一方の手にガイドレール９０を持ち、他方の手に装置本体２０を持つ。
（手順Ｂ）：電源ボタン３１を押して電源をオンにする。
（手順Ｃ）：所定の測定開始位置（ここでは膝１０４の膝中心部１０５）にガイドレール９０の一端及び装置本体２０の端面を接触させる。
（手順Ｄ）：初回の測定のときには開始位置記憶ボタン３２を押し、次に（手順Ｇ）に進む。なお、前回測定位置ＨＢの初期値は「０」に設定されている。
（手順Ｅ）：２回目以降の測定のときには開始位置確認ボタン３４を押す。
（手順Ｆ）：報知部５０により測定部６０の位置が前回測定位置からずれている旨報知されたときには、所定の測定開始位置に測定装置１０を移動させた後に再び（手順Ｅ）を行う。測定部６０の位置がずれている旨の報知がなされない状態で次の（手順Ｇ）を行う。
（手順Ｇ）：測定ボタン３３を押して発光素子６１及び受光素子６２，６３による測定を開始する。
（手順Ｈ）：測定装置１０をガイドレール９０上及び体表面に沿って移動させる。
（手順Ｉ）：測定終了位置としての測定開始位置まで測定部６０を移動させる。
（手順Ｊ）：測定ボタン３３を押して発光素子６１及び受光素子６２，６３による測定を終了する。
（手順Ｋ）：表示部４０の表示を確認し、電源ボタン３１を押して電源をオフにする。
【００６１】
以上詳述したように、本実施形態によれば上記実施形態の（１）〜（８）の効果に加えて以下に示す効果が得られるようになる。
（１０）本実施形態では、測定部６０を所定の軌道に沿って移動させるためのガイドレール９０を備えているため、ユーザが水平器等を確認しながら測定部を軌道に沿わせて移動する場合と比較して、ユーザの移動のための負担を低減することができる。
【００６２】
（第４実施形態）
図８を参照して、本発明を具体化した第４実施形態について説明する。なお、本実施形態は第１実施形態の装置本体の構成を変更したものであり、第１実施形態と共通する部分については説明を省略する。
【００６３】
図８（ａ）に示されるように、装置本体２０は、円筒状のローラ部２２２と、このローラ部２２２を貫通するとともに、同ローラ部２２２に対して相対回転可能となるように設けられる把手部２２１により構成される。ローラ部２２２の検出面２２に形成される測定部６０において、発光素子６１及び第１受光素子６２及び第２受光素子６３は、ローラ部２２２上にローラの軸に沿うように一列に設けられている。また、同列上には、測定ボタン３３が設けられている。測定ボタン３３のあるローラ部２２２の面が被測定体１００の表面に押し当てられたとき、測定ボタン３３によって発光素子６１及び第１受光素子６２及び第２受光素子６３による測定が開始される。なお、測定は所定期間のみ行われ、所定期間が経過した後は自動的に測定が終了される。
【００６４】
具体的には、以下の手順で測定が行われる。
体脂肪量の測定はユーザを通じて次の手順により行われる。
（手順Ａ）：例えば立位の状態で一方の手に把手部２２１を持つ。
（手順Ｂ）：電源ボタン３１を押して電源をオンにする。
（手順Ｃ）：所定の測定開始位置にローラ部２２２の端面を接触させる。
（手順Ｄ）：初回の測定のときには開始位置記憶ボタン３２を押し、次に（手順Ｇ）に進む。なお、前回測定位置ＨＢの初期値は「０」に設定されている。
（手順Ｅ）：２回目以降の測定のときには開始位置確認ボタン３４を押す。
（手順Ｆ）：報知部５０により測定部６０の位置が前回測定位置からずれている旨報知されたときには、所定の測定開始位置に測定装置１０を移動させた後に再び（手順Ｅ）を行う。測定部６０の位置がずれている旨の報知がなされない状態で次の（手順Ｇ）を行う。
（手順Ｇ）：ローラ部２２２を被測定体１００の表面に押し当てながら回転させる。このとき、測定ボタン３３のある面、即ち検出面２２と被測定体１００の表面が一致したときに、測定ボタン３３が押されて発光素子６１及び受光素子６２，６３による測定を開始する。
（手順Ｈ）：ローラ部２２２を回転させながら測定装置１０を体表面に沿って移動させる。このとき、測定ボタン３３のある検出面２２が被測定体１００の表面と接触するとともに通過してから所定の期間だけ発光素子６１及び受光素子６２，６３による測定が行われる。所定期間が経過した後、次に測定ボタン３３のある検出面２２が被測定体１００の表面と接触するまでの期間は測定は行われない。
（手順Ｉ）：測定終了位置まで測定部６０を移動させる。
（手順Ｊ）：測定ボタン３３を押して発光素子６１及び受光素子６２，６３による測定を終了する。
（手順Ｋ）：表示部４０の表示を確認し、電源ボタン３１を押して電源をオフにする。
【００６５】
なお、図８（ｂ）に示されるように、図８（ａ）の把手部２２１の形状を把手部３２１のように変更することもできる。このとき、ユーザは把手部３２１を掴み、ローラ部２２２の表面を被測定体１００の体表面に押し付けてローラ部２２２を回転させながら、装置本体２０を体表面上に沿って移動させる。
【００６６】
以上詳述したように、本実施形態によれば上記実施形態の（１）〜（８）の効果に加えて以下に示す効果が得られるようになる。
（１１）本実施形態では、装置本体２０にローラ部２２２が設けられているため、ローラ部２２２の回転角度によって測定部６０の移動距離を正確に測定することができるようになる。従って、ユーザは体脂肪量の測定位置、ひいては皮下脂肪の被測定体１００の内部における分布を正確に測定できるようになる。
【００６７】
（第５実施形態）
図９を参照して、本発明を具体化した第５実施形態について説明する。なお、本実施形態は第１実施形態の測定ユニット本体の構成を変更したものであり、第１実施形態と共通する部分については説明を省略する。
【００６８】
図９に示されるように、装置本体２０は、本体２０を掴むことのできる把手２１と、把手２１とは異なる面である検出面２２と、検出面２２に設けられる２つの電流印加用電極６４と２つの電圧測定用電極６５とにより構成されている。
【００６９】
測定者が操作部３０を操作して体組成の測定を開始するとき、制御部７０は２つの電流印加用電極６４に対して電流印加の指令を送信する。また、電圧測定用電極６５により測定された電圧に基づいて、被測定体１００の体脂肪量を算出する。
【００７０】
以上詳述したように、本実施形態によれば上記実施形態の（１）及び（３）〜（８）の効果に加えて以下に示す効果が得られるようになる。
（１２）本実施形態では、被測定体１００の内部のインピーダンスに基づいて体組成としての体脂肪量を算出する算出手段を備えるようにしているため、インピーダンスによって体脂肪量を測定することができる。従って、体脂肪の計測を好適に行うことができるようになる。
【００７１】
（第６実施形態）
図２を参照して、本発明を具体化した第６実施形態について説明する。なお、本実施形態は第１実施形態の位置設定手段としての気圧センサに変えて目盛部を設けたものであり、第１実施形態と共通する部分については説明を省略する。
【００７２】
図２に示されるように、装置本体２０には、同本体２０への収容及び同本体２０からの引き出しが可能な目盛部２５が設けられている。ユーザは、身体の特徴的な部位を基準として測定開始位置を設定したいとき、この目盛部２５を利用することができる。例えば、臍からＸｃｍ上のところを測定開始位置としたいときには、目盛部２５を利用して測定部６０を臍からＸｃｍのところに設定する。
【００７３】
以上詳述したように、本実施形態によれば上記実施形態の（１）〜（４）及び（６）〜（８）の効果に加えて以下に示す効果が得られるようになる。
（１２）本実施形態では、位置設定手段として目盛部２５を備えているため、その測定結果に基づいて測定開始位置が予め定められた位置からずれているか否かを確認することができる。従って、体組成の測定毎に測定開始位置が大きく異なることをより的確に抑制することができる。
【００７４】
（１３）本実施形態では、位置設定手段として目盛部２５を備えているため、センサ等を設けて測定開始位置の設定を行う場合と比較して簡単な構造で測定位置の設定を行うことができるようになる。
【００７５】
（第７実施形態）
図１０を参照して、本発明を具体化した第７実施形態について説明する。なお、本実施形態は第１実施形態の体組成測定装置の構成を変更したものであり、第１実施形態と共通する部分については説明を省略する。
【００７６】
図１０に示されるように、体組成測定装置１０は、装置本体２０と、装置本体２０とに対して取り外し可能に接続される足台４３０とにより構成されている。足台４３０には巻き取り可能なコード４３１が設けられており、足台４３０と装置本体２０とを接続している。また、足台４３０及び装置本体２０は、検出面２２及び足台４３０の端面の一つとしての接続面４３２で接続される。
【００７７】
以上詳述したように、本実施形態によれば上記実施形態の（１）〜（８）の効果に加えて以下に示す効果が得られるようになる。
（１５）本実施形態では、足台４３０と装置本体２０が取り外し可能に接続されているため、足台４３０に制御部や表示部等を設けることができるようになる。このとき装置本体２０は軽量化をすることができるようになるため、足台４３０から装置本体２０を取り外したとき、装置本体２０によって体脂肪の測定を簡便に行うことができるようになる。
【００７８】
（その他の実施形態）
なお、本発明の実施態様は上記実施形態に限られるものではなく、例えば以下に示す態様をもって実施することもできる。また以下の各変形例は、上記実施形態についてのみ適用されるものではなく、異なる変形例同士を互いに組み合わせて実施することもできる。
【００７９】
・上記第２実施形態では、装置本体２０は取付部２３を介してベルト８０に取り付けられる構成としたが、装置本体２０がベルト８０上を移動できる構成であれば、装置本体２０及びベルト８０はいずれの構成を採用することもできる。
【００８０】
・また、ベルト８０の穴８３をベルト８０の周上において連続するものとしたが、不連続のものとしてもよい。
・上記第１及び第２実施形態では、装置本体２０を腹部１０１の外周を一周させて測定を行うようにしたが、測定距離はこれに限らない。一周以下、または２周以上する構成としてもよい。また、一周以下のときには、測定を行った部分に基づいて残りの部分のうちの一部もしくは全体の体組成の分布を推定するようにしてもよい。
【００８１】
・上記第１〜５及び第７実施形態では気圧センサ７１の検出値に基づいて、測定開始位置を前回の測定開始位置と合わせるようにしたが、測定開始位置を合わせる方法としてはこれに限らず、一定の測定開始位置を再現できるものであればいずれの方法を採用することもできる。
【００８２】
・上記第７実施形態では、気圧センサ７１によって測定開始位置を設定したが、コード４３１に目盛りを設けて、この目盛りの値を記録することにより測定開始位置を設定するようにしてもよい。また、目盛りを設けるのではなく、測定開始位置としてのコード４３１の引き出し長さを制御部７０に記録する構成を採用することもできる。
【００８３】
・上記各実施形態では、測定開始位置及び測定軌跡が過去の位置及び所定の軌道とずれたときにずれを報知する報知部５０を備えるようにしたが、所定の軌道上の特定の位置と今回の測定における特定の位置とがずれたとき、報知部５０により報知する構成を追加してもよい。第４実施形態を例にとって説明すると、測定時においてローラ部２２２の測定部６０が毎回被測定体１００の同じ位置で接触しているかを制御部７０が確認し、前回位置と今回位置とのずれが大きいときにはユーザに対してこれを報知する。
【００８４】
・上記第４実施形態のローラ部２２２に回転方向を限定するラチェット機構を設けるようにしてもよい。これによりローラ部２２２は一方向にしか回転しないようになるため、回転角度をより正確に算出することができるようになり、体脂肪量の測定をより好適に行えるようになる。
【００８５】
・上記各実施形態では、被測定体１００、すなわち被測定者が自ら測定するようにしたが、被測定体１００と測定者とが異なるようにしてもよい。
・上記各実施形態では、被測定体１００は立位にて測定を行うようにしたが、測定姿勢が毎回同じであれば、測定姿勢はこれに限らない。すなわち、座位または仰臥位で測定を行ってもよい。
【００８６】
・上記各実施形態では、被測定体１００を人体の腹部１０１または太もも１０３としたが、他の部位、例えば腕部、脚部等を対象としてもよい。また、測定の際の測定開始位置の基準とする特徴部位も臍１０２やひざ中心部１０５に限らず、測定者が確認しやすい部位であればいずれの部位であってもよい。
【００８７】
・上記各実施形態では、被測定体１００が手で測定ユニットを掴んで移動させるようにしたが、測定ユニットが自動で移動するようにしてもよい。このときは測定軌跡を制御部７０に記録しておくことで、測定毎に同一の軌跡で測定を行うことができるようになる。
【００８８】
・上記各実施形態では、今回の測定軌跡と所定の軌道との間にずれが生じたときには報知部５０からの音声を介して被測定体１００に報知するようにしたが、例えば表示部に文字や絵で表示するようにしてもよい。
【００８９】
・上記各実施形態では、表示部４０に体脂肪量が表示されるようにしたが、得られる測定データから測定部位の断面構造を再構築し、これを表示部４０に表示するようにしてもよい。
【００９０】
・上記各実施形態では、表示部４０に体脂肪量が表示されるようにしたが、測定データを記録してこれを出力可能とし、データを他の装置やコンピュータ等で確認するようにしてもよい。
【００９１】
・上記各実施形態では、加速度センサ７２を設けて測定軌道と測定軌跡とのずれを検出するようにしたが、ジャイロセンサ及び気圧センサの少なくとも一つを設けて、これらの検出値によって測定軌道のずれを検出するようにしてもよい。また、水平器を設けて目視により測定軌道と測定軌跡とのずれを確認するようにしてもよい。
【００９２】
・上記各実施形態では、装置本体２０に操作部３０、表示部４０、報知部５０及び制御部７０を設けるようにしたが、これらは装置本体２０とは別体の装置に設けるようにしてもよい。第６実施形態においては、足台４３０に設けることもできる。
【００９３】
・上記各実施形態では、操作部３０の各ボタンを順に操作することで、測定を行うようにしたが、測定ボタン及び測定手順との関係はこれに限らない。
【符号の説明】
【００９４】
１０…体組成測定装置、２０…装置本体、２１…把手、２２…検出面、２３…取付部、２４…レール溝、２５…目盛部、３０…操作部、３１…電源ボタン、３２…開始位置記憶ボタン、３３…測定ボタン、３４…開始位置確認ボタン、４０…表示部、５０…報知部、６０…測定部、６１…発光素子、６２…第１受光素子、６３…第２受光素子、６４…電流印加用電極、６５…電圧用測定電極、７０…制御部、７１…気圧センサ、７２…加速度センサ、８０…ベルト、８１…ベルト基部、８２…接続部、８３…穴、９０…ガイドレール、１００…被測定体、１０１…腹部、１０２…臍、１０３…太もも、１０４…ひざ、１０５…ひざ中心部、２２１…把手部、２２２…ローラ部、３２１…把手部、４３０…足台、４３１…コード、４３２…接続面。
【図１】
2011067344.tif 000003
【図２】
2011067344.tif 000004
【図３】
2011067344.tif 000005
【図４】
2011067344.tif 000006
【図５】
2011067344.tif 000007
【図６】
2011067344.tif 000008
【図７】
2011067344.tif 000009
【図８】
2011067344.tif 000010
【図９】
2011067344.tif 000011
【図１０】
2011067344.tif 000012